(57)【要約】【課題】純電気式で駆動させることができる自動車のドライブトレインを提供する。【解決手段】  本発明は、純電気式に駆動させることができる自動車のドライブトレイン（６）に関する。歯車機構（７、１５）は、１つの電気機械（１６）または２つの電気機械（１０、１１）を受けるため、及び車両車軸（２、４）に関連付けられる２つの歯車機構出力シャフト（９）を受けるための標準化されたハウジング（８）を有する。このように駆動機構を構成することによって、純電気駆動機構を備える様々な車両部門のための多数の駆動機構トポロジーを形成することができる。【選択図】  図１
2014084102.tif 000002
【特許請求の範囲】
【請求項１】
歯車機構（７、１５、１８）を有する、純電気式で駆動させることができる自動車のドライブトレイン（６）であって、前記歯車機構（７、１５、１８）が、１つの電気機械（１６）または２つの電気機械（１０、１１）を受けるため、及び車両車軸（２、４）に関連付けられる２つの歯車機構出力シャフト（９）を受けるための標準化されたハウジング（８）を有するドライブトレイン（６）。
【請求項２】
前記歯車機構が、加算型の歯車機構（７）の形態である請求項１に記載のドライブトレイン。
【請求項３】
高出力の電気機械が１つ、または低出力の電気機械が２つ、または高出力の電気機械と低出力の電気機械が１つずつ、前記歯車機構（７、１５、１８）に接続される請求項１または２に記載のドライブトレイン。
【請求項４】
前記歯車機構（１８）が、ロードホイール（３、５）の一輪駆動のために前記２つの歯車機構出力シャフト（９）を有する２つの個別の歯車機構ユニットを有する請求項１に記載のドライブトレイン。
【請求項５】
同一の電気機械（１０、１１）が、前記歯車機構ユニットにそれぞれ接続される請求項４に記載のドライブトレイン。
【請求項６】
それぞれの電気機械（１０、１１、１６）の回転子シャフトが、前記自動車の前進方向（２４）に対して横方向に配置される請求項１〜５のいずれか一項に記載のドライブトレイン。
【請求項７】
それぞれの歯車機構出力シャフト（９）が、前記自動車の前記前進方向（２４）に対して横方向に配置される請求項１〜６のいずれか一項に記載のドライブトレイン。
【請求項８】
前記歯車機構（７、１５、１８）が、前記自動車の幅方向の長さに対して前記自動車の中央領域に配置される請求項１〜７のいずれか一項に記載のドライブトレイン。
【請求項９】
前記ドライブトレインが２つの電気機械（１０、１１）を備えて形成されるときに、前記歯車機構（７、１５、１８）が前記電気機械（１０、１１）の間に配置される請求項１〜８のいずれか一項に記載のドライブトレイン。
【請求項１０】
それぞれの電気機械（１０、１１、１６）が、非同期機械の形態である、または永久磁石同期機械の形態である請求項１〜９のいずれか一項に記載のドライブトレイン。
【請求項１１】
前記ドライブトレイン（６）が２つの電気機械を備えて形成されるときに、一方の電気機械が非同期機械の形態であり、他方の電気機械が永久磁石同期機械の形態である請求項１〜１０のいずれか一項に記載のドライブトレイン。
【請求項１２】
前記歯車機構（７、１５、１８）が２段歯車機構である請求項１〜１１のいずれか一項に記載のドライブトレイン。
【請求項１３】
前記歯車機構（７、１５、１８）が、中間シャフトを有する３シャフト設計である、または前記歯車機構が、遊星歯車設計の第１の段と平歯車設計の第２の段とを備えるように設計される請求項１２に記載のドライブトレイン。
【請求項１４】
前記歯車機構（７、１５、１８）が、前記２つの電気機械（１０、１１）の少なくとも一方を切り離すための切離しデバイスを有する請求項１〜１３のいずれか一項に記載のドライブトレイン。
【発明の詳細な説明】
【技術分野】
【０００１】
本発明は、純電気式で駆動させることができる車両のドライブトレインに関する。
【背景技術】
【０００２】
自動車、特に乗用車は、様々な部門で使用されている。乗用車の場合、そのような部門は、具体的には、小型車、中級車、及び高級車の部門である。スポーツカーは、特に中級車及び高級車の部門で提供されている。
【０００３】
特にドライブトレインの様々な歯車機構構成の視点から見た、様々なドライブトレイン構成が、様々な部門にて使用され、本発明に関しては、特に中級車及び高級車の部門が重要である。それぞれ使用される電気機械、または使用される複数の電気機械の様々な接続寸法を考慮しなければならないという背景を基にこれは考察することができる。接続寸法は、電気機械と歯車機構とのインターフェースに関して考察することができる。動力及び機能調節のために、異なるサイズ及び異なるタイプの電気機械が使用されるので、様々な接続寸法が必要とされる。
【発明の概要】
【発明が解決しようとする課題】
【０００４】
本発明の目的は、純電気駆動機構を備える様々な車両部門のための多数の駆動機構トポロジーを可能にするドライブトレインを提供することである。
【課題を解決するための手段】
【０００５】
純電気式で駆動させることができる自動車のドライブトレインにおいて、本発明は、ドライブトレインの歯車機構が、１つまたは２つの電気機械を受けるための、及び車両車軸に関連付けられる２つの歯車機構出力シャフトを受けるための標準化されたハウジングを有することを提案する。
【０００６】
使用される歯車機構が、標準化されたハウジングを有することが肝要である。そのため、このハウジングは、純電気式で駆動させることができる自動車のドライブトレインの多数の異なる変形形態に関して固定された様式で構成される。歯車機構ハウジングは、特に、スポーツカーを含む中級車及び高級車の部門の自動車に使用される。
【０００７】
歯車機構のハウジングは、電気機械のための２つの受け部を有し、電気機械は、ドライブトレインの構成に応じて各受け部の領域内に配置されるので、ドライブトレインには２つの電気機械が提供される。あるいは、２つの受け部の一方のみが電気機械と相互作用し、それ故にドライブトレインには電気機械が一つのみ提供される。この場合、歯車機構のハウジングは、空いている受け部の領域で、適切な手段、特に歯車機構カバーを使用して、電気機械を固定する形で閉じられる。
【０００８】
ハウジングの受け部は、特に同一の設計であり、その結果、それぞれの電気機械の接続構成が一致しているという仮定の下で、この受け部の領域で任意の望ましい電気機械をハウジングに接続することができる。最も単純な様式では、ハウジングは、電気機械のベアリングフランジへの接続または歯車機構カバーへの接続のための２つの同一の受取フランジを有する。
【０００９】
更に、歯車機構のハウジングは、自動車の車両車軸に関連付けられる２つの歯車機構出力シャフトを受ける。この車軸は、自動車の後車軸または前車軸である。
【００１０】
従って、トルク伝達の機能の観点から見て、歯車機構を様々な構成にすることができる。
【００１１】
歯車機構が加算型の歯車機構の形態であるときに有利と考えられる。従って、２つの電気機械が歯車機構に関連付けられるとき、電気機械によって歯車機構に導入される２つのトルクを足し合わせて２つの歯車機構出力シャフトに伝達することが適切である。
【００１２】
代替として、歯車機構は、車両車軸のロードホイールの一輪駆動のために２つの歯車機構出力を有する２つの個別の歯車機構ユニットを有することができる。歯車機構は、２つの個別の歯車機構ユニットによって形成される。これらの歯車機構ユニットは、独立して活動する。一輪駆動であるため、トルクは、一方の電気機械から、一方の歯車機構ユニットを介して、一輪駆動のホイールに流れ、他方の力は、第２の電気機械から、第２の歯車機構ユニットを介して、この車両車軸の他方のホイールに流れる。この構成では、とりわけ、同一の電気機械が歯車機構ユニットにそれぞれ接続されることが企図される。
【００１３】
基本的には、特に加算型の歯車機構としての歯車機構の設計に関してこれが当てはまり、高出力の電気機械が１つ、または低出力の電気機械が２つ、または高出力と低出力の電気機械が１つずつ、歯車機構に接続されることが企図される。
【００１４】
本発明によるドライブトレインの構成のおかげで、比較的少数の駆動機構の構成要素を用いたモジュール式の手法を目的に合わせて使用することによって、電気駆動機構を有する様々な車両部門のための多数の駆動機構トポロジーを形成することができる。この場合、車両の部門に従って、動力と機能の両方を提供することができる。
【００１５】
好ましくは同一の基本歯車機構、特に、大きな電気機械を備えるシングルモータ駆動ユニットまたは小さな電気機械を備える２モータ駆動ユニットのための加算型の歯車機構が使用される。同一の機械接続寸法、従って機械と歯車機構との同一のインターフェースにより、動力及び機能調節のための様々なサイズ及び様々なタイプの機械の使用が可能になる。動力調節、動力分散、機能の拡張、及び特性マップに関して最適化された動作による効率の向上のために、車両内の機械の数及び機械の分布を変更することができる。
【００１６】
更に、機械のタイプを変更することもできる。例えば、非同期機械の形態での電気機械、または永久磁石同期機械の形態での電気機械が使用される。機械のタイプにおけるこの変更は、コスト調節、機械タイプに関して最適化された動作による効率の向上、及び駆動機構トポロジーに関する動力調節において有利である。
【００１７】
構造の視点からは、それぞれの電気機械の回転子シャフトが、自動車の前進方向に対して横方向に配置されるときに有利と考えられる。対応する向きは、それぞれの歯車機構出力シャフトに関しても有利と考えられる。
【００１８】
ドライブトレインの設置空間の最適化に関しては、歯車機構が、自動車の幅方向の長さに対して自動車の中央領域に配置されるときに特に有利であると考えられる。その結果、歯車機構とそれぞれの車両車軸のロードホイールとの間のシャフト、特に多関節シャフトを比較的長く設計することができ、湾曲角度に関する対応する利点を伴う。ドライブトレインが２つの電気機械を備えて形成されるときに、それに従って歯車機構が電気機械の間に配置される。
【００１９】
ドライブトレインが２つの電気機械を備えて形成されるときに、一方の電気機械が非同期機械の形態であり、他方の電気機械が永久磁石同期機械の形態であるときに特に有利と考えられる。これらの異なるタイプの電気機械の組合せは、効率に関する利点を生み出す。例えば、速度または負荷範囲に応じたこれら２つの電気機械タイプの切替えを行うことができる。機械を停止させる、または機械を切り離すことも可能である。
【００２０】
歯車機構は、好ましくは、２段歯車機構の形態である。この場合、例えば、歯車機構は、中間シャフトを有する３シャフト設計であるか、または、遊星歯車設計の第１の段と平歯車設計の第２の段とを備える歯車機構として設計される。この種の２段歯車機構は、低コストで高い効率を有する。コンパクトな歯車機構を、特に車両の中央に形成することができる。車両の中央の領域から動力出力を行うことができ、それにより、小さい湾曲角度を有する長いドライブシャフトを形成することができる。２つのギアホイール段によって、効率的な歯車システムを形成することができる。基本的には、電気機械を用いて動作することが可能である。更に、少なくとも１つの電気機械が、切離しデバイスによって任意選択で切り離されることを企図することができる。浸漬給油が歯車機構で提供され、従ってオイルポンプを必要としないのが好ましい。特に、歯車機構の出力は、一輪駆動の場合以外は、関連の機械的な差動装置を有する。
【００２１】
本発明のさらなる特徴は、従属請求項、添付図面、及び図面に示される好ましい例示的実施形態の説明において、該例示的実施形態に限定せずに見ることができる。
【図面の簡単な説明】
【００２２】
【図１】駆動機構トポロジーに関して例示した、自動車の前車軸及び後車軸に関するドライブトレインを示す図である。
【図２】駆動機構トポロジーに関して例示した、自動車の前車軸及び後車軸に関するドライブトレインを示す図である。
【図３】駆動機構トポロジーに関して例示した、自動車の前車軸及び後車軸に関するドライブトレインを示す図である。
【図４】駆動機構トポロジーに関して例示した、自動車の前車軸及び後車軸に関するドライブトレインを示す図である。
【図５】駆動機構トポロジーに関して例示した、自動車の前車軸及び後車軸に関するドライブトレインを示す図である。
【図６】駆動機構トポロジーに関して例示した、自動車の前車軸及び後車軸に関するドライブトレインを示す図である。
【図７】駆動機構トポロジーに関して例示した、自動車の前車軸及び後車軸に関するドライブトレインを示す図である。
【図８】トルク／回転速度グラフにおける、ドライブトレインで使用される電気機械の様々なサイズの影響を示す図である。
【図９】トルク／回転速度グラフにおける、ドライブトレインで使用される電気機械の様々なタイプの影響を示す図である。
【図１０】実質的に上から見た、加算型の歯車機構の形態であるときのドライブトレインの一実施形態を示す図である。
【図１１】車両の車軸の方向で見た、図１０に示されるドライブトレインを示す図である。
【発明を実施するための形態】
【００２３】
図１は、乗用車の形態での自動車の平面図において、４つの曲線区間１によって示されるその自動車の隅部の外形を示す。２つの前輪が、自動車の前車軸２に関連付けられ、２つの後輪５が、自動車の後車軸４に関連付けられる。前車軸２は、独立したドライブトレイン６の構成部品を成す。後車軸４は、独立したドライブトレイン６の構成部品を成す。ドライブトレイン６は様々な構成であり、ドライブトレイン６の設計を以下でより詳細に述べる。
【００２４】
歯車機構ハウジング８を有する歯車機構７が、後車軸４に関連付けられる。この歯車機構ハウジング８は、標準化されたハウジングである。従って、以下に述べるすべての駆動機構トポロジーに関して同一の設計である。ハウジング８は、１つまたは２つの電気機械を受けるため、及び後車軸４、従って後輪５に関連付けられる２つの歯車機構出力シャフト９を受けるためのものである。具体的には、ハウジング８は、２つの電気機械１０及び１１を受ける。これらの電気機械は、ハウジング８に、具体的にはハウジング８の互いに反対の側にフランジ接続され、従って、歯車機構７は２つの電気機械１０と１１の間に配置される。電気機械１０及び１１の出力シャフト１２は、歯車機構７のギアホイール１４と噛み合うピニオン１３を有する。従って、この歯車機構７は、加算型の歯車機構の形態である。代替形態として、電気機械１０及び１１の出力シャフト１２は、歯車機構７のギアホイール１４と噛み合うピニオン１３を有する歯車機構入力シャフトに固定される。更に、どちらの場合にも、所要の伝達比を生じるためにピニオン１３とギアホイール１４の間に中間シャフトを配置することも可能である。
【００２５】
自動車の前車軸２のドライブトレイン６は、関連の歯車機構１５を有し、歯車機構１５は、歯車機構７のハウジング８に対応するハウジング８を有し、ここでは、この歯車機構１５の運動学的動作が変更されている。例えば、ただ１つの電気機械１６が、その電気機械１６の接続用に提供されたハウジング８のベアリングフランジに接続され、他方の電気機械のためにハウジング８の他方の側に位置されたベアリングフランジは空いており、この領域で、ハウジング８はカバーによって閉じられる。電気機械１６の出力シャフト１２はピニオン１３に接続され、ピニオン１３はギアホイール１４と噛み合い、このギアホイール１４は、後車軸４のために提供されるギアホイール１４よりも小さいことがある。
【００２６】
後車軸４の２つの電気機械１０と１１は、同一でも異なっていてもよい。前車軸２の電気機械１６は、後車軸４の電気機械１０、１１と同一でも異なっていてもよい。
【００２７】
図１に関して説明するこの駆動コンセプトは、好ましくは中級車の部門、特にスポーツカーで使用される。
【００２８】
以下の図の説明では、分かりやすくするために、構造または機能に関して図１による部分に対応するそれぞれのドライブトレイン６の部分には同じ参照符号が付されている。
【００２９】
中級車の部門及び／またはスポーツカーで使用されている、図２に示される自動車の変形形態は、図１によるドライブトレイン６が、後車軸４のためだけでなく前車軸２のためにも実装されている点のみが、図１による自動車と異なる。これに関して、前車軸２は、２つの電気機械１０及び１１によって駆動される。
【００３０】
高級車の部門及び／または特にその部門のスポーツカーで使用されている、図３に表される駆動コンセプトは、一輪駆動を可能にするハウジング８を備える歯車機構１８が後車軸４のために使用される点で、図１に表される駆動コンセプトと異なる。従って、図３による実施形態では、後車軸４に関して、電気機械１０と１１の２つのピニオン１３は、共通のギアホイールに係合せずに、別々のギアホイール１７、１７に係合し、それぞれのギアホイール１７が歯車機構出力シャフト９に接続される。従って、歯車機構１８は、２つの歯車機構の構成要素を有する。
【００３１】
図４によるドライブトレインの改良形態も、特に、高級車の部門、この部門でのスポーツカーで使用される。この場合、前車軸２と後車軸４の両方が、図３で述べた歯車機構１８を備える一輪駆動機構を有する。従って、この車両では４つの電気機械１０、１１が提供される。
【００３２】
図３及び図４による実施形態でも、やはり同じハウジング８が使用される。従って、図１による変形形態から図４による変形形態に基づき、電気機械の数及び機械のタイプを選択することによって、純電気式で駆動させることができるそれぞれの自動車の駆動コンセプトにおける機能及び／または動力を増加させることができる。
【００３３】
図５における例示によるドライブトレインは、図１によるドライブトレインに対して変更されており、前車軸２のドライブトレイン６の設計が同一であるという仮定の下で、後車軸４のドライブトレイン６もただ１つの電気機械１６を有し、この電気機械１６は、歯車機構１５のハウジング８に接続される。しかし、この実施形態では、前車軸２の領域では、電気機械１６が左側に配置され、歯車機構１５が右側に配置され、後車軸４の領域では、電気機械１６が右側に配置され、歯車機構１５が左側に配置される。２つの電気機械１６は、車軸２と車軸４の間に配置される。この実施形態でも、やはり同じハウジング８が使用されるが、そのハウジングに異なる電気機械１６をフランジ接続することができる。従って、電気機械と歯車機構とのインターフェースの領域での機械接続寸法は同じであり、その結果、動力及び機能調節のために様々なサイズ及び様々なタイプの機械を使用することができる。従って、例えばモータのタイプ、例えば非同期機械または永久磁石同期機械を、選択することができる。
【００３４】
図６は、同じハウジング８が使用されるときに対称的な動力分散を実現するための自動車の２つのドライブトレインの構成を示す。図７は、非対称的な動力分散が生じるようにした変形形態を示す。
【００３５】
図８によるグラフは、機械の回転速度の関数として、前述の電気機械によって出力されるトルクに対する、使用される電気機械のサイズの影響を示す。該グラフは、大きな電気機械と小さな電気機械の効率に関する特性マップ、この例では、大きな永久磁石同期機械の効率に関する特性マップ１９と、小さな永久磁石同期機械の効率に関する特性マップ２０とで、高い効率の領域が重なっていることを示す。効率に関する利点は、機械を停止させる、または機械を切り離す選択が出来る比較的小さな電気機械を用いることにより繰り返し動作で生み出される。
【００３６】
対応するグラフにおいて、図９は、機械のタイプの影響を示す。該グラフは、永久磁石同期機械の効率に関する特性マップ１９と、非同期機械の効率に関する特性マップ２１とを示す。周期動作において、効率に関する利点は、これらの異なるタイプの電気機械の組合せと、速度または負荷範囲に応じた電気機械タイプの切替えとによって生み出される。また、機械を停止させる、または機械を切り離すことも可能である。
【００３７】
図１０及び図１１は、加算型の歯車機構の形態にて可能な歯車機構７の構成の一つを示す。歯車機構７は、２段歯車機構である。歯車機構７は、中間シャフトを有する３シャフト設計である。２つの電気機械１０及び１１が歯車機構７と相互作用する。機械的な差動装置２２が、歯車機構７の動力出力側に関連付けられる。該図面は、２つの電気機械１０、１１の一方を切り離すための、歯車機構７に関連付けられる切離しデバイスを示さない。参照番号２３は、電気機械１０または１１に関連付けられるそれぞれのパワーエレクトロニクスを示す。
【００３８】
図１０及び図１１に示されるドライブトレイン６の構成により、矢印によって示される車両の前進方向２４に対して横方向で、コンパクトな歯車機構７を車両の中央に形成できるようになる。２つのギアホイール段を用いて、効率的な歯車システムを実現可能である。ドライブトレインは、１つの機械によって動作させることもできる。このために、該機械は、非同期機械の形態である場合には、切離しデバイスによって切り離される。該機械が永久磁石同期機械の形態である場合には、切離しデバイスは必要でない。歯車機構７で浸漬給油が使用され、従ってオイルポンプを必要としないのが好ましい。
【符号の説明】
【００３９】
２、４  車両車軸
３、５  ロードホイール
６  ドライブトレイン
７、１５、１８  歯車機構
８  ハウジング
９  歯車機構出力シャフト
１０、１１、１６  電気機械
２４  前進方向
【図１】
2014084102.tif 000003
【図２】
2014084102.tif 000004
【図３】
2014084102.tif 000005
【図４】
2014084102.tif 000006
【図５】
2014084102.tif 000007
【図６】
2014084102.tif 000008
【図７】
2014084102.tif 000009
【図８】
2014084102.tif 000010
【図９】
2014084102.tif 000011
【図１０】
2014084102.tif 000012
【図１１】
2014084102.tif 000013